(57)【要約】【課題】簡単な構成で、記憶媒体を内蔵するカートリッジ表面の記録面、あるいはそのカートリッジを収納する収納ケースの記録面への記録を実現する記録システム、カートリッジ、収納ケースを提供する。【解決手段】表面に記録面３を有しかつ記憶媒体を内蔵するカートリッジ１と、該カートリッジ１を収納しかつ該カートリッジ１上の記録面３に記録を行う記録ヘッド１１を有する収納ケース１０からなる記録システムであって、カートリッジ１は、記憶媒体を管理する管理データを記憶する不揮発性メモリと、カートリッジ１の収納ケース１０への収納状態を検知するリニアセンサ４と、その検知結果に基づいて、不揮発性記憶メモリの管理データと、収納ケース１０の記録ヘッド１１を制御する制御信号を、収納ケース１０へ出力するマイコン２とを備える。一方、収納ケース１０は、カートリッジ１から受信する管理データと制御信号に基づいて、カートリッジ１上の記録面３に記録を行う記録ヘッド１１を備える。【選択図】　図１
2004022006.tif 000002
【特許請求の範囲】
【請求項１】
表面に記録面を有しかつ記憶媒体を内蔵するカートリッジと、該カートリッジを収納しかつ該カートリッジ上の前記記録面に記録を行う記録手段を有する収納ケースからなる記録システムであって、
前記カートリッジは、
前記記憶媒体を管理する管理データを記憶する不揮発性記憶手段と、
前記カートリッジの前記収納ケースへの収納状態を検知する検知手段と、
前記検知手段の検知結果に基づいて、前記不揮発性記憶手段の管理データと、前記収納ケースの前記記録手段を制御する制御信号を、前記収納ケースへ出力する第１制御手段とを備え、
前記収納ケースは、
前記カートリッジから受信する前記管理データと前記制御信号に基づいて、前記カートリッジ上の前記記録面に記録を行う記録手段と
を備えることを特徴とする記録システム。
【請求項２】
前記記録面は、熱可逆性記録媒体で構成されている
ことを特徴とする請求項１に記載の記録システム。
【請求項３】
前記収納ケースは、前記収納ケースの収納状態を通知するためのリニアエンコーダ板を更に備え、
前記リニアエンコーダ板は、収納方向から、前記管理データ送信通知用の第１目盛部分と、前記制御信号送信通知用の第２目盛部分と、記録終了位置通知用の第３目盛部分とが構成されている
ことを特徴とする請求項１に記載の記録システム。
【請求項４】
前記収納ケースは、前記記録手段の記録制御を含む制御を行う第２制御手段を
更に備えることを特徴とする請求項１に記載の記録システム。
【請求項５】
前記第２制御手段は、前記管理データの受信の完了前に、前記制御信号を受信した場合、前記カートリッジの収納動作の操作ミスを示すエラー信号を前記カートリッジへ送信する
ことを特徴とする請求項４に記載の記録システム。
【請求項６】
前記第２制御手段は、前記管理データの受信の完了前に、前記制御信号を受信した場合、前記カートリッジの収納動作の操作ミスを示すエラー記録データを生成し、前記エラー記録データによる前記記録手段の記録を制御する
ことを特徴とする請求項４に記載の記録システム。
【請求項７】
前記収納ケースは、前記カートリッジを概略定速で収納する収納機構を
更に備えることを特徴とする請求項１に記載の記録システム。
【請求項８】
前記カートリッジは、上位装置と接続する接続手段を更に備え、
前記管理データは、前記上位装置で生成されるデータである
ことを特徴とする請求項１に記載の記録システム。
【請求項９】
記録手段を有する収納ケースに収納され、表面に記録面を有しかつ記憶媒体を内蔵するカートリッジであって、
前記記憶媒体を管理する管理データを記憶する不揮発性記憶手段と、
前記収納ケースへの収納状態を検知する検知手段と、
前記検知手段の検知結果に基づいて、前記不揮発性記憶手段の管理データと、前記収納ケースの前記記録手段による前記記録面への記録を制御する制御信号を、前記収納ケースへ出力する制御手段と
を備えることを特徴とするカートリッジ。
【請求項１０】
表面に記録面を有しかつ記憶媒体を内蔵するカートリッジを収納する収納ケースであって、
前記記録面への記録を行う記録手段と、
前記カートリッジから、前記記憶媒体を管理する管理データと、前記記録手段による前記記録面への記録を制御する制御信号を受信する受信手段と、
前記受信手段で受信した制御信号に基づいて、前記記録手段の記録を制御する制御手段と
を備えることを特徴とする収納ケース。
【請求項１１】
記憶媒体を内蔵するカートリッジと、該カートリッジを収納しかつ記録面を有する収納ケースからなる記録システムであって、
前記カートリッジは、
前記記憶媒体を管理する管理データを記憶する不揮発性記憶手段と、
前記カートリッジの前記収納ケースへの収納状態を検知する検知手段と、
前記検知手段の検知結果に基づいて、前記収納ケースの記録面へ記録を行う記録手段とを備え、
前記収納ケースは、
前記収納ケースの収納状態を通知するためのリニアエンコーダ板と
を備えることを特徴とする記録システム。
【請求項１２】
前記記録面は、熱可逆性記録媒体で構成され、かつ前記収納ケースの内壁の一部を形成する
ことを特徴とする請求項１１に記載の記録システム。
【請求項１３】
前記リニアエンコーダ板は、前記記録開始位置通知用の目盛部分を有している
ことを特徴とする請求項１１に記載の記録システム。
【請求項１４】
前記カートリッジは、上位装置と接続する接続手段を更に備え、
前記管理データは、前記上位装置で生成されるデータである
ことを特徴とする請求項１１に記載の記録システム。
【請求項１５】
記録面を有する収納ケースに収納可能な、記憶媒体を内蔵するカートリッジであって、
前記記憶媒体を管理する管理データを記憶する不揮発性記憶手段と、
前記カートリッジの前記収納ケースへの収納状態を検知する検知手段と、
前記検知手段の検知結果に基づいて、前記収納ケースの前記記録面へ記録を行う記録手段と
を備えることを特徴とするカートリッジ。
【請求項１６】
記憶媒体を内蔵するカートリッジを収納する収納ケースであって、
前記収納ケースの収納状態を通知するためのリニアエンコーダ板と、
前記記憶媒体を管理する記憶データを記録するための記録面と
を備えることを特徴とする収納ケース。
【発明の詳細な説明】
【０００１】
【発明の属する技術分野】
本発明は、表面に記録面を有しかつ記憶媒体を内蔵するカートリッジと、該カートリッジを収納しかつ該カートリッジ上の前記記録面に記録を行う記録手段を有する収納ケースからなる記録システム、カートリッジ、収納ケースに関するものである。
【０００２】
【従来の技術】
従来、パソコン等のデータ処理機器本体に着脱可能な記憶メディアに記録した内容は、記憶メディア筐体やメディアの収納ケースに貼られたラベルに手書きやラベルプリンタによって印刷したりして対応していた。
【０００３】
然るに、これら記憶メディアはデータの書き換えや追加、削除といった内容の書き換えが多々あり、その度にラベルの内容を書き換えていたのでは、書き換え作業が煩わしく、ラベルの書き込みスペースがすぐにいっぱいになったり、消した後が汚くなったりして好ましくない。また、書き換えのたびにラベルを交換したのでは、尚更、手間がかかり煩わしいものになっている。
【０００４】
そこで、特開平６−３３８１７９号公報には、ビデオテープカセットに貼り付けられた熱可逆性記録ラベルに、ビデオテープに収録した内容に関係する情報（例えば、映画のタイトル名等）を記録する記録機構をビデオテープレコーダー内に構成した技術が開示されている。これは、ビデオテープに収録した録画内容を書き換えた場合（例えば、別の映画を録画した時）でも、記録ラベルに記録されていた内容を書き換えられた録画内容に書き換えることで、記録ラベルをいちいち書き替えて貼り直す面倒な手間から解放される。
【０００５】
さらには、特開２００１−６３４７号公報には、ＰＣＭＣＩＡのカードタイプのハードディスクに熱可逆性記録ラベルを貼って、ハードディスクに記録したデータ内容に関連する事項をラベルに記録する記録機構を、ＰＣＭＣＩＡのカードスロットを具備するパーソナルコンピュータ等の端末に構成した技術が開示されている。これもハードディスクに記録したデータは、追記、書き替え、削除等の変更が多々あり、ハードディスクにラベルを貼り、そこに手書き等で記述内容の更新を行うような面倒な手間が改善されている。
【０００６】
【発明が解決しようとする課題】
しかしながら、上記従来のラベルに記録させるためには、ラベルの所望する個所に加熱して可視化／非可視化にするための加熱ヘッドもしくはラベル等の被加熱媒体を移動して記録させるための機械的な駆動機構が必要になる。この場合、ラベル自身は単純な構造をとれて安価に構成できるが、装置側の駆動機構が複雑化し、装置のコスト高を招いてしまっている。
【０００７】
本発明は上記の課題に鑑みてなされたものであり、簡単な構成で、記憶媒体を内蔵するカートリッジ表面の記録面、あるいはそのカートリッジを収納する収納ケースの記録面への記録を実現する記録システム、カートリッジ、収納ケースを提供することを目的とする。
【０００８】
【課題を解決するための手段】
上記の目的を達成するための本発明による記録システムは以下の構成を備える。即ち、
表面に記録面を有しかつ記憶媒体を内蔵するカートリッジと、該カートリッジを収納しかつ該カートリッジ上の前記記録面に記録を行う記録手段を有する収納ケースからなる記録システムであって、
前記カートリッジは、
前記記憶媒体を管理する管理データを記憶する不揮発性記憶手段と、
前記カートリッジの前記収納ケースへの収納状態を検知する検知手段と、
前記検知手段の検知結果に基づいて、前記不揮発性記憶手段の管理データと、前記収納ケースの前記記録手段を制御する制御信号を、前記収納ケースへ出力する第１制御手段とを備え、
前記収納ケースは、
前記カートリッジから受信する前記管理データと前記制御信号に基づいて、前記カートリッジ上の前記記録面に記録を行う記録手段と
を備える。
【０００９】
また、好ましくは、前記記録面は、熱可逆性記録媒体で構成されている。
【００１０】
また、好ましくは、前記収納ケースは、前記収納ケースの収納状態を通知するためのリニアエンコーダ板を更に備え、
前記リニアエンコーダ板は、収納方向から、前記管理データ送信通知用の第１目盛部分と、前記制御信号送信通知用の第２目盛部分と、記録終了位置通知用の第３目盛部分とが構成されている。
【００１１】
また、好ましくは、前記収納ケースは、前記記録手段の記録制御を含む制御を行う第２制御手段を
更に備える。
【００１２】
また、好ましくは、前記第２制御手段は、前記管理データの受信の完了前に、前記制御信号を受信した場合、前記カートリッジの収納動作の操作ミスを示すエラー信号を前記カートリッジへ送信する。
【００１３】
また、好ましくは、前記第２制御手段は、前記管理データの受信の完了前に、前記制御信号を受信した場合、前記カートリッジの収納動作の操作ミスを示すエラー記録データを生成し、前記エラー記録データによる前記記録手段の記録を制御する。
【００１４】
また、好ましくは、前記収納ケースは、前記カートリッジを概略定速で収納する収納機構を
更に備える。
【００１５】
また、好ましくは、前記カートリッジは、上位装置と接続する接続手段を更に備え、
前記管理データは、前記上位装置で生成されるデータである。
【００１６】
上記の目的を達成するための本発明によるカートリッジは以下の構成を備える。即ち、
記録手段を有する収納ケースに収納され、表面に記録面を有しかつ記憶媒体を内蔵するカートリッジであって、
前記記憶媒体を管理する管理データを記憶する不揮発性記憶手段と、
前記収納ケースへの収納状態を検知する検知手段と、
前記検知手段の検知結果に基づいて、前記不揮発性記憶手段の管理データと、前記収納ケースの前記記録手段による前記記録面への記録を制御する制御信号を、前記収納ケースへ出力する制御手段と
を備える。
【００１７】
上記の目的を達成するための本発明による収納ケースは以下の構成を備える。即ち、
表面に記録面を有しかつ記憶媒体を内蔵するカートリッジを収納する収納ケースであって、
前記記録面への記録を行う記録手段と、
前記カートリッジから、前記記憶媒体を管理する管理データと、前記記録手段による前記記録面への記録を制御する制御信号を受信する受信手段と、
前記受信手段で受信した制御信号に基づいて、前記記録手段の記録を制御する制御手段と
を備える。
【００１８】
上記の目的を達成するための本発明による記録システムは以下の構成を備える。即ち、
記憶媒体を内蔵するカートリッジと、該カートリッジを収納しかつ記録面を有する収納ケースからなる記録システムであって、
前記カートリッジは、
前記記憶媒体を管理する管理データを記憶する不揮発性記憶手段と、
前記カートリッジの前記収納ケースへの収納状態を検知する検知手段と、
前記検知手段の検知結果に基づいて、前記収納ケースの記録面へ記録を行う記録手段とを備え、
前記収納ケースは、
前記収納ケースの収納状態を通知するためのリニアエンコーダ板と
を備える。
【００１９】
また、好ましくは、前記記録面は、熱可逆性記録媒体で構成され、かつ前記収納ケースの内壁の一部を形成する。
【００２０】
また、好ましくは、前記リニアエンコーダ板は、前記記録開始位置通知用の目盛部分を有している。
【００２１】
また、好ましくは、前記カートリッジは、上位装置と接続する接続手段を更に備え、
前記管理データは、前記上位装置で生成されるデータである。
【００２２】
上記の目的を達成するための本発明によるカートリッジは以下の構成を備える。即ち、
記録面を有する収納ケースに収納可能な、記憶媒体を内蔵するカートリッジであって、
前記記憶媒体を管理する管理データを記憶する不揮発性記憶手段と、
前記カートリッジの前記収納ケースへの収納状態を検知する検知手段と、
前記検知手段の検知結果に基づいて、前記収納ケースの前記記録面へ記録を行う記録手段と
を備える。
【００２３】
上記の目的を達成するための本発明による収納ケースは以下の構成を備える。即ち、
記憶媒体を内蔵するカートリッジを収納する収納ケースであって、
前記収納ケースの収納状態を通知するためのリニアエンコーダ板と、
前記記憶媒体を管理する記憶データを記録するための記録面と
を備える。
【００２４】
【発明の実施の形態】
以下、図面を参照して本発明の好適な実施形態を詳細に説明する。
【００２５】
＜実施形態１＞
図１は本発明の実施形態１のハードディスクが収納されたカートリッジ１と、このカートリッジ１を保護・収納する収納ケース１０の斜視図である。
【００２６】
尚、このカートリッジ１は、上位装置であるデータ処理機器本体（例えば、パーソナルコンピュータ）に着脱可能な形態を有する。
【００２７】
カートリッジ１において、２はハードディスク７（図２）以外にハードディスク７を管理するための管理データ（後述する、記録ラベル３に記録するためのラベル用データ）を記憶する不揮発性メモリ２−１（図３）を内蔵したマイクロコンピュータ（以下、マイコンと略記する）である。
【００２８】
４は、マイコン２が動作するための電力を収納ケース１０から受け取るための端子と、不揮発性メモリ２−１中の管理データを収納ケース１０に送出するための端子群である。３は、後述詳細説明する熱可逆性記録ラベル（以下、記録ラベルと略記する）である。
【００２９】
５は、データ処理機器本体との着脱用コネクタ部（不図示）のシャッター窓である。カートリッジ１の天面の記録ラベル３の両側には溝１−２が形成されており、後述する収納ケース１０の記録ヘッド１１が記録ラベル３以外のところでは接触しないようになっている。
【００３０】
尚、記録ヘッド１１は、カートリッジ１の収納方向の垂直方向の記録ラベル３の幅に対し、少なくともその幅で、かつ収納方向に所定長の長さで囲まれる記録ラベル３の領域を一度に記録が可能なラインヘッドで構成されている。
【００３１】
収納ケース１０において、１１は、カートリッジ１の天面に貼られた記録ラベル３に画像を記録するための記録ヘッド（サーマルヘッド）１１である。１０−１は、記録ヘッド１１が記録ラベル３以外のところではカートリッジ１と接触しないようにするための記録ヘッド１１の両脇に設けられた突起である。
【００３２】
１２は、カートリッジ１側のマイコン２に電力を供給するための電力供給ラインや、マイコン２からの熱可逆性記録ラベル３に書き込むデータを受信するための信号受信ラインや、カートリッジ１が収納ケース１０にどれだけ収納されたかの収納状態（収納量）を検出するためのリニアエンコーダ板等が併設された摺動板である。
【００３３】
１３は、マイコン２からのデータを受信して記録ヘッド１１の記録データ生成処理、記録駆動制御等の各種処理を実行するマイコンである。１４は、マイコン１３を含む各種電子回路に電力を供給するバッテリである。
【００３４】
次に、カートリッジ１の詳細構成について、図２を用いて説明する。
【００３５】
図２は本発明の実施形態１のカートリッジ１の詳細構成を示す図である。
【００３６】
図２において、５はデータ処理機器と着脱するためのコネクタであり、データ処理機器からのハードディスク７へのデータ読出／書込信号はコネクタ５−２を介して行われる。５−３は、ハードディスク７の記録内容に関連するデータ（ラベル記録データ）をデータ処理機器から受信して、マイコン２に内蔵されている不揮発性メモリ２−１（図３）に記憶するための接続コネクタである。各々のコネクタはプリント板５−４に固定されている。
【００３７】
コネクタ５からの信号は、コネクタ５−２とコネクタ５−３へと、このプリント板５−４によって分配配線されている。そして、コネクタ５−３からのデータ信号はケーブル６を介してマイコン２に接続されている。また、端子群４とマイコン２間は、マイコン２への電力線、ラベル記録データ信号線、カートリッジ１と収納ケース１０との相対移動量を検出するためのリニアセンサ４−５（図３）からの信号等がケーブル９を介して接続されている。また、カートリッジ１とハードディスク７との間には、衝撃吸収用のクッション材８が詰められている。
【００３８】
尚、カートリッジ１と接続可能なデータ処理機器は、汎用コンピュータに搭載される標準的な構成要素（例えば、ＣＰＵ、ＲＡＭ、ＲＯＭ、ハードディスク、外部記憶装置、ネットワークインタフェース、ディスプレイ、キーボード、マウス等）を有している。
【００３９】
次に、カートリッジ１と収納ケース１０内の記録に関わる回路構成について、図３を用いて説明する。
【００４０】
図３は本発明の実施形態１のカートリッジ１と収納ケース１０の記録に関わる回路構成を示すブロック図である。
【００４１】
カートリッジ１には、不揮発性メモリ２−１を有するマイコン（ＣＰＵ）２が構成され、データ処理機器に接続されているときには、コネクタ５により受信した電源、制御信号、データ信号がコネクタ５−３を介して分配配線されている。そして、ケーブル６−１、６−２を介してマイコン２に電力が供給される。また、ＣＰＵ２は、ハードディスク７の記憶内容に関連する管理データをケーブル６−３を介して取り込み、不揮発性メモリ２−１に記憶する。
【００４２】
その後、データ処理機器より取り外され、収納ケース１０に収められた時、カートリッジ１に設けられた端子群４が、収納ケース１０の端子群４が摺動する側面に設けられた摺動板１２に接触する。そして、端子群４の内、摺動端子４−１、４−２は、摺動板１２上の摺動部１２−１、１２−２に接触しバッテリ１４から電力を受けるようになる。コンデンサ２−２は、摺動端子４−１、４−２が摺動中に摺動板１２と接触が離れ電力が瞬断しても電力が途切れることが無いようにするための平滑コンデンサである。
【００４３】
摺動端子４−３は、不揮発性メモリ２−１に記憶された管理データを収納ケース１０側のマイコン（ＣＰＵ）１３に送出するためのデータラインであり、摺動部１２−３を介してマイコン１３に送られる。
【００４４】
摺動端子４−４は、記録同期タイミングクロック用の出力端子であり、摺動部１２−４を介してマイコン１３に送られ、この同期タイミングに併せて記録ヘッド１１を駆動して加熱記録が行われる。
【００４５】
リニアセンサ４−５は、収納ケース１０側の摺動板１２近傍に平行して取り付けられているリニアエンコーダ板１２−５を読み取ってカートリッジ１と収納ケース１０の相対移動量を検出し、移動量に同期して不揮発性メモリ２−１に記憶してある管理データを摺動端子４−３、４−４に送出するように構成されている。
【００４６】
一方、収納ケース１０のマイコン（ＣＰＵ）１３は、摺動板１２−３、１２−４で受信した記録データを記録文字に対応したデータに変換して、記録ヘッド１１に送出する。記録ヘッド１１は、小さな抵抗体が一列に配列されていて、これらの所望する位置の抵抗体に通電して、その部位を発熱させ、記録ラベル３の所望する位置を加熱して文字の書込を行う。
【００４７】
尚、熱可逆性記録ラベルからなる記録ラベル３に使われる記録材料、透明、不透明に変化させる加熱方法は、例えば、特開平５−８５０４６号、特開平５−３０９９４０号、特開平６−２９７８４２号等で開示されており、このような技術を用いればよく詳細説明は省略する。
【００４８】
図４は本発明の実施形態１のカートリッジ１を収納ケース１０に収納して行くときのリニアエンコーダ板１２−５とリニアセンサ４と記録タイミングを説明する図である。
【００４９】
図４（Ａ）は、カートリッジ１を収納ケース１０に収納し始めの時の図であり、カートリッジ１の端子群４が収納ケース１０の摺動板１２に接触し前述のように電力、記録データの授受ができるようになる。
【００５０】
リニアエンコーダ板１２−５は、記録ヘッド１１が記録ラベル３の記録可能位置に到達するまでに、記録データをマイコン１３側に送出完了させる。その後、記録位置に到達してからは、記録同期タイミングクロックをマイコン１３に送出する。そして、以上の動作を実現するために、リニアエンコーダ板１２−５には、データ送出期間用（管理データ送信通知用）の目盛部分１２−５１と、記録同期タイミングクロック用（制御信号送信通知用）の目盛部分１２−５２と、記録終了位置検出用（記録終了位置通知用）の目盛部分１２−５３が構成されている。
【００５１】
図４（Ｂ）の記録可能位置（記録ヘッド１１による記録ラベル３への記録が可能な位置）までカートリッジ１が収納されると、カートリッジ１の収納方向の先端は、リニアエンコーダ板１２−５の目盛部分１２−５２に達する。マイコン２は、この目盛部分１２−５２をリニアセンサ４−５を介して検出すると、マイコン１３に摺動端子４−４を介して記録同期タイミングクロックを送出し始める。ここで、カートリッジ１の先端がリニアエンコーダ板１２−５の目盛部分１２−５２に達する前までに記録データの送出が完了していない時には、マイコン２はカートリッジ１の収納動作が早すぎたりした等の操作ミスが有ったとして、その操作ミスを示すエラー信号を送信し、記録同期タイミングクロックの送出を開始しない。この場合、マイコン１３は何も処理せず途中まで受信していた記録データをクリアする。
【００５２】
図４（Ｃ）の記録終了位置（記録ヘッド１１による記録ラベル３のへの記録が終了する位置）までカートリッジ１の収納が進むと、カートリッジ１の先端が、リニアエンコーダ板１２−５の目盛部分１２−５３に達する。マイコン２は、この目盛部分１２−５３をリニアセンサ４−５を介して検出すると、記録終了位置に達したことを示す記録終了位置検出信号をマイコン１３へ送信する。
【００５３】
次に、カートリッジ１のマイコン２の動作について、図５を用いて説明する。
【００５４】
図５は本発明の実施形態１のカートリッジ１のマイコン２の動作フローを示すフローチャートである。
【００５５】
まず、ステップＳ１で、カートリッジ１が、データ処理機器に接続されるか収納ケース１０に収納されると、電力が供給される。そこで、電力が投入されるとマイコン２の各種レジスタ等（不図示）の初期化処理を行う。
【００５６】
次に、ステップＳ２で、データ処理機器と接続されているのか、収納ケース１０に接続されているのかを判定する。この判定は、ケーブル６−３上の信号の有無を判別して行う。データ処理機器と接続されていると判定される場合（ステップＳ２でＹｅｓ）、ステップＳ３に進む。一方、データ処理機器と接続されていないと判定される場合（ステップＳ２でＮｏ）、ステップＳ６に進む。
【００５７】
ステップＳ３で、データ処理機器より書込データ、即ち、記録ラベル３に書き込むためのラベル用データの有無を判定する。ラベル用データがない場合（ステップＳ３でＮｏ）、データが送出されてくるまで待機する。一方、ラベル用データがある場合（ステップＳ３でＹｅｓ）、ステップＳ４に進む。
【００５８】
尚、このラベル用データは、上述したように、ハードディスク７を管理するための管理データであり、例えば、ハードディスク７のルートフォルダ名、そのルートフォルダで管理されるファイル群のファイル名、ハードディスク７のサイズ、ボリューム名、一意の管理番号、日付データ等から構成される。
【００５９】
ステップＳ４で、マイコン２に内蔵されている不揮発性メモリ２−１にラベル用データ（管理データ）の書込処理を実行し、その書込処理が終了したら、ステップＳ３に戻り、新たに書込データの書換変更等があってもいいように待機する。
【００６０】
一方、データ処理機器に接続されていない場合、つまり、収納ケース１０に接続されている場合、ステップＳ６で、リニアエンコーダ信号の有無を判定する。これは、リニアエンコーダ板１２−５の目盛部分１２−５１からの信号を、リニアセンサ４−５から取得できるか否かで判定する。リニアエンコーダ信号がない場合（ステップＳ６でＮｏ）、リニアエンコーダ信号が取得できるまで待機する。一方、リニアエンコーダ信号がある場合（ステップＳ６でＹｅｓ）、ステップＳ７に進む。
【００６１】
ステップＳ７で、不揮発性メモリ２−１に記憶してあるラベル用データをマイコン１３へ送出する。ステップＳ８で、ラベル用データの送出が完了しかた否かを判定する。ラベル用データの送出が完了していない場合（ステップＳ８でＮｏ）、ステップＳ１４に進み、リニアセンサ４−５の記録同期タイミング信号として、リニアエンコーダ板１２−５の目盛部分１２−５２からの信号を取得したか否かを判定する。記録同期タイミング信号を取得していない場合（ステップＳ１４でＮｏ）、ステップＳ６に戻る。一方、記録同期タイミング信号を取得した場合（ステップＳ１４でＹｅｓ）、即ち、記録データを送出完了前に記録同期タイミング信号がリニアセンサ４−５で検出される場合は、ステップＳ１５に進み、エラー信号をマイコン１３へ送信して、処理を終了する。
【００６２】
一方、ラベル用データの送出が完了している場合（ステップＳ８でＹｅｓ）、ステップＳ１０に進み、リニアセンサ４−５の記録同期タイミング信号を取得したか否かを判定する。記録同期タイミング信号を取得していない場合（ステップＳ１０でＮｏ）、記録同期タイミング信号を取得するまで待機する。即ち、記録可能位置までカートリッジ１が収納ケース１０に収納されるまで待機する。一方、記録同期タイミング信号を取得した場合（ステップＳ１０でＹｅｓ）、ステップＳ１１に進む。
【００６３】
記録同期タイミング信号を取得したら、ステップＳ１１で、同期クロック信号の送出を開始する。そして、ステップＳ１２で、同期クロック信号が終了し、リニアエンコーダ板１２−５の目盛部分１２−５３からの記録終了位置検出用信号を取得したか否かを判定する。記録終了位置検出用信号を取得していない場合（ステップＳ１２でＮｏ）、ステップＳ１１に戻り、記録終了位置検出用信号を取得するまで、即ち、カートリッジ１の先端が記録終了位置（目盛部分１２−５３）に達するまで、ステップＳ１１とステップＳ１２を繰り返す。一方、記録終了位置検出用信号が取得された場合（ステップＳ１２でＹｅｓ）、処理を終了する。
【００６４】
尚、ステップＳ１４において、記録データを送出し終わる前に記録同期タイミング信号がリニアセンサ４−５で検出された場合に、ステップＳ１５で、エラー信号をマイコン１３に送った後、記録同期タイミング信号を送り始めるように構成しても良い。このような構成での処理フローを示したものが、図６である。このような構成にすると、収納ケース１０では、そのエラー信号に基づいてエラー記録データを生成し、記録ラベル３にエラー記録データを記録することが可能になる。これにより、ユーザに対し、カートリッジ１の収納ケース１０への収納動作に操作ミスがあったことを通知することができる。
【００６５】
次に、収納ケース１０のマイコン１３の動作について、図７を用いて説明する。
【００６６】
図７は本発明の実施形態１の収納ケース１０のマイコン１３の動作フローを示すフローチャートである。
【００６７】
ステップＳ１１では、カートリッジ１が収納されるまでのスタンバイ状態であり、電力消費を抑えて待機している。カートリッジ１が収納されると、摺動端子４−３より信号が入力されるので、そのトリガを受けてホールド状態を解除して、ステップＳ１２に進む。
【００６８】
ステップＳ１２で、ラベル用データの有無を判定する。ラベル用データがない場合（ステップＳ１２でＮｏ）、ノイズ処理として何も処理せず、ステップＳ１１へ戻る。一方、ラベル用データがある場合（ステップＳ１２でＹｅｓ）、ステップＳ１３に進み、ラベル用データを受信して、そのラベル用データに基づいて、記録ラベル３に記録するための記録データを作成する。この記録データの作成処理は、例えば、ラベル用データが文字コードから構成されている場合、その文字コードを記録文字キャラクタに変換する処理に相当する。
【００６９】
ステップＳ１４で、ラベル用データ受信の完了を有無を判定する。完了していない場合（ステップＳ１４でＮｏ）、ステップＳ１３に戻る。一方、完了している場合（ステップＳ１４でＹｅｓ）、ステップＳ１５に進む。
【００７０】
ステップＳ１５で、エラー信号の有無を判定する。エラー信号がある場合（ステップＳ１５でＹｅｓ）、処理を終了する。一方、エラー信号がない場合（ステップＳ１５でＮｏ）、ステップＳ１６に進み、受信したラベル用データが、前回受信したラベル用データと同じであるか否かを判定する。即ち、ハードディスク７の内容をまだ書き換えていない収納ケース１０への出し入れであるか否かを判定する。
【００７１】
ステップＳ１６において、同じデータある場合（ステップＳ１６でＹｅｓ）、処理を終了する。一方、同じデータでない場合（ステップＳ１６でＮｏ）、ステップＳ１７に進む。
【００７２】
ステップＳ１７で、マイコン２に記録同期タイミング信号が受信されたか否かを判定する。記録同期タイミング信号が受信されていない場合（ステップＳ１７でＮｏ）、受信されるまで待機する。一方、記録同期タイミング信号が受信された場合（ステップＳ１７でＹｅｓ）、ステップＳ１８に進み、マイコン２からの同期クロック信号に合わせて記録ラベル３への記録処理を行う。
【００７３】
ステップＳ１９で、記録完了の有無を判定する。記録が完了していない場合（ステップＳ１９でＮｏ）、ステップＳ１８に戻る。一方、記録が完了した場合（ステップＳ１９でＹｅｓ）、処理を終了する。
【００７４】
尚、ステップＳ１５において、カートリッジ１を収納ケース１０に収納するときに、その収納動作が早すぎたりして記録データがうまく送信できずにエラー信号が発生した場合、記録ラベル３にエラー記録を実行するように構成しても良い。このような構成での処理フローを示したものが、図８である。つまり、この場合、ステップ１５でエラー信号を検出すると、ステップＳ２０で、それまでに受信したラベル用データをクリアして、エラー記録用の記録データを作成して、ステップＳ１７に進み、マイコン２からの同期クロック信号に合わせ、エラー記録に係る記録処理を実行する。
【００７５】
以上説明したように、実施形態１によれば、カートリッジ１に、熱可逆性記録媒体からなる記録ラベル３を貼り付け、この記録ラベル３への記録を行うための記録機構を、カートリッジ１を収納する収納ケース１０へ構成する。特に、この記録機構は、記録ラベル３の所望する個所に加熱して可視化／非可視化にするための機械的な駆動機構が不要な記録ヘッド１１で構成しているので、安価な電子回路でその記録ラベル３への記録・書換・消去の作業を行うことができる。
【００７６】
＜実施形態２＞
実施形態２では、カートリッジ１を収納ケース１０に収納する場合に、そのカートリッジ１を収納ケース１０に定速に摺動可能にする構成について説明する。
【００７７】
図９は本発明の実施形態２のカートリッジ１と収納ケース１０間の摺動動作を説明するための図である。
【００７８】
特に、図９（Ａ）は、収納ケース１０にカートリッジ１を収納し始める位置の各部の構造を示す図であり、カートリッジ１０には摺動ガイド４０が取付けられている。摺動ガイド４０は、カートリッジ１を収納ケース１０側矢印方向に押し進めると収納ケース１０の内壁にぶつかりカートリッジ１を挟むように湾曲する押さえ爪４０−２と、摺動ガイド４０が収納ケース１０から外れないように爪を持った抜け防止アーム４０−１と、羽根車の回転で歯車の回転を一定速度で解除するダンパー機構５０とからなっている。
【００７９】
ダンパー機構５０は、図９（Ｃ）に拡大図を示すように、第１所定歯数のギア５１（５１Ａはギア５１の歯先円、５１Ｂは歯底円）が、第１所定歯数より少ない第２所定歯数のギア５２に回転を伝えている。更に、その回転はギア５２より、第２所定歯数より少ない第３所定歯数のギア５３に伝えられる。ギア５３の軸上には、羽５３Ｈが付けられており、ギア５１の１回転がギア５３では数回転に上げられ、羽５３Ｈが回転の負荷となってギア５１の回転に過大な負荷がかかり概略定速回転に成るようになっている。この構成は、オルゴール等でよく使われている技術で公知のため、詳細説明は省略する。
【００８０】
ダンパー機構５０は、収納ケース１０に設けたラックギア４１とかみ合って概略一定速度で摺動ガイド４０を収納ケース１０の内部へと移動させるので、リニアエンコーダの読み取りや、記録ヘッド１１の安定走行に寄与することができる。
【００８１】
また、ギア５１は一定の回転方向にだけ回転を、次のギア５２に伝える機構であり、公知の１Ｗａｙ　Ｃｌｕｃｈ機構を持たせている。即ち、摺動ガイド４０が収納ケース１０の内部に入って行くときの回転方向（左回転）には、回転を次のギア５２に伝え、摺動ガイド４０が出てくるときの回転（右回転）では空回りするようにされている。
【００８２】
また、カートリッジ１が収納ケース１０に嵌っている間は摺動ガイド４０の爪４０−２が確実にカートリッジ１を銜えているため、カートリッジ１の移動に合わせて摺動ガイド４０も移動することになる。これにより、収納方向には一定の負荷がかかり概略定速で摺動する。一方、カートリッジ１を収納ケース１０より取り外すときには軽くスムーズに取り外すことができる。また、カートリッジ１が収納ケース１０より取り外されたときには、図９（Ｂ）に示すように、摺動ガイド４０は爪４０−２がはずれ収納ケース１０の入り口で停止する。
【００８３】
以上説明したように、実施形態２によれば、実施形態１で説明した構成に対し、更に、カートリッジ１が収納ケース１０へ概略定速で収納するような収納機構を設けることで、ユーザによるカートリッジ１の収納ケース１０への収納動作に係る操作ミスを防止することができる。加えて、収納動作に係る操作ミスを防止することができるので、記録ラベル３への安定した記録を実現することができる。
【００８４】
＜実施形態３＞
実施形態３では、収納ケース１０に設けられていた記録ヘッド１１をカートリッジ１に構成して、収納ケース１０には電子回路を持たせないようにして、収納ケース１０をより簡略化した構成について説明する。
【００８５】
図１０は本発明の実施形態３のカートリッジ８０と収納ケース６０の斜視図である。
【００８６】
カートリッジ８０において、８１は、記録ヘッド（サーマルヘッド）である。８２は、マイコンである。８３は、バッテリである。８４は、リニアセンサである。８５は、データ処理機器との着脱用のコネクタ部窓である。
【００８７】
記録ヘッド８１の両側には、収納ケース６０の記録ラベル６３以外のところでは収納ケース６０に記録ヘッド８１が当たらないようにするための突起８０−１が設けられている。８０−２は、記録ラベル６３（透明基材ベースなので下が透けて見える）用の反射板である。
【００８８】
収納ケース６０には、記録ラベル６３が貼り付けられている。また、収納ケース６０内壁のリニアセンサが摺動する面には、リニアエンコーダ板６２が設けてあり記録開始位置、記録終了位置等が検出できるように構成されている。また、記録ヘッド８２が記録に必要なところ以外に当たらないように、カートリッジ８０に設けた突起８０−１が収納ケース６０を摺動する箇所に対応して保護レール６０−１、６０−２が設けられている。
【００８９】
次に、カートリッジ８０の詳細構成について、図１１を用いて説明する。
【００９０】
図１１は本発明の実施形態３のカートリッジ８０の詳細構成を示す図である。
【００９１】
尚、図１１において、図２と同じ構成要素については、同じ参照番号を付加し、その説明は省略する。
【００９２】
図１１において、８２はマイコンであり、リニアセンサ８４からの信号を受け、カートリッジ８０と収納ケース６０との相対移動量を検出する。また、収納ケース６０に設けてある記録ラベル６３の位置で記録処理するために、記録ヘッド８１に、ラベル用データを送信し、記録ヘッド８１を駆動する。
【００９３】
次に、カートリッジ８０と収納ケース６０内の記録に関わる回路構成について、図１２を用いて説明する。
【００９４】
図１２は本発明の実施形態３のカートリッジ８０と収納ケース６０の記録に関わる回路構成を示すブロック図である。
【００９５】
カートリッジ８０には、不揮発性メモリ８２Ｒを有するマイコン８２が構成され、データ処理機器に接続されているときには、コネクタ５により受信した制御信号、データ信号がコネクタ５−３、ケーブル６を介して、ハードディスク７に記憶された内容に関連するデータを取り込み不揮発性メモリ８２Ｒに記憶する。
【００９６】
その後、データ処理機器より取り外され、収納ケース６０に収納された時、カートリッジ８０に設けられたリニアセンサ８４により、収納ケース６０の内側面に取り付けられているリニアエンコーダ板の目盛部分６２−１を読み取ってカートリッジ８０と収納ケース６０の相対移動量を検出し、記録ラベル６３が記録適性位置にくるまでの準備動作（ユーザが視認する記録ラベル６３の裏面からの記録のため、ミラー記録用ビットマップ展開処理等の各種処理）を行う。そして、カートリッジ８０の先端が、リニアエンコーダ板６２の目盛が記録開始を示す同期タイミングの目盛部分６２−２に到達したら、この目盛部分６２−２を読んで同期タイミング信号を作成し、この同期タイミング信号に併せて記録ヘッド８１を駆動して記録が行われる。
【００９７】
次に、記録ラベル６３の構造について、図１３を用いて説明する。
【００９８】
図１３は本発明の実施形態３の記録ラベル６３の構造を説明する断面図である。
【００９９】
記録ラベル６３には、透明なプラスチックフィルム基材６３−１に熱可逆性記録材料６３−２が塗布されている。そして、プラスチックフィルム基材６３−１が収納ケース６０の表面の一部を構成し、熱可逆性記録材料６３−２がプラスチックフィルム基材６３−１が収納ケース６０の内壁の一部を構成するように、記録ラベル６３が構成されている。
【０１００】
そして、カートリッジ８０の記録ヘッド８１は、収納ケース６０の内壁にある熱可逆性記録材料６３−２を管理データに対応する記録データを加熱記録する。これにより、ユーザは、プラスチックフィルム基材６３−１を通して記録内容を識別することができる。そのため、記録ヘッド８１による記録は、記録データの鏡像記録データを記録するミラー記録が実行される。
【０１０１】
以上説明したように、実施形態３によれば、実施形態１で説明した効果に加えて、カートリッジ８０に、記録ラベル６３への記録を行うための記録機構を設けることで、収納ケース６０の構成を簡単にすることができる。
【０１０２】
尚、実施形態１〜３では、カートリッジ１にハードディスク７を内蔵している構成を例に挙げて説明したが、例えば、ＤＶＤ−ＲＡＭやＭＯ等のカートリッジを有する記憶媒体に対しても、本発明を適用することができる。
【０１０３】
以上、実施形態例を詳述したが、本発明は、複数の機器から構成されるシステムに適用しても良いし、また、一つの機器からなる装置に適用しても良い。
【０１０４】
尚、本発明は、前述した実施形態の機能を実現するソフトウェアのプログラム（実施形態では図に示すフローチャートに対応したプログラム）を、システム或いは装置に直接或いは遠隔から供給し、そのシステム或いは装置のマイコン（コンピュータ）が該供給されたプログラムコードを読み出して実行することによっても達成される場合を含む。その場合、プログラムの機能を有していれば、形態は、プログラムである必要はない。
【０１０５】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【０１０６】
その場合、プログラムの機能を有していれば、オブジェクトコード、インタプリタにより実行されるプログラム、ＯＳに供給するスクリプトデータ等、プログラムの形態を問わない。
【０１０７】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【０１０８】
その他、プログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１０９】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０１１０】
【発明の効果】
以上説明したように、本発明によれば、簡単な構成で、記憶媒体を内蔵するカートリッジ表面の記録面、あるいはそのカートリッジを収納する収納ケースの記録面への記録を実現する記録システム、カートリッジ、収納ケースを提供できる。
【図面の簡単な説明】
【図１】本発明の実施形態１のカートリッジと収納ケースの斜視図である。
【図２】本発明の実施形態１のカートリッジの詳細構成を示す図である。
【図３】本発明の実施形態１のカートリッジと収納ケースの記録に関わる回路構成を示すブロック図である。
【図４】本発明の実施形態１の収納動作に伴う記録を説明するための図である。
【図５】本発明の実施形態１のカートリッジのマイコンの動作フローを示すフローチャートである。
【図６】本発明の実施形態１のカートリッジのマイコンの動作フローの応用例を示すフローチャートである。
【図７】本発明の実施形態１の収納ケースのマイコンの動作フローを示すフローチャートである。
【図８】本発明の実施形態１の収納ケースのマイコンの動作フローの応用例を示すフローチャートである。
【図９】本発明の実施形態２のカートリッジと収納ケース間の摺動動作を説明するための図である。
【図１０】本発明の実施形態３のカートリッジと収納ケースの斜視図である。
【図１１】本発明の実施形態３のカートリッジの詳細構成を示す図である。
【図１２】本発明の実施形態３のカートリッジと収納ケースの記録に関わる回路構成を示すブロック図である。
【図１３】本発明の実施形態３の記録ラベルの構造を説明する断面図である。
【符号の説明】
１　カートリッジ
１−２　溝
２　マイコン
３　記録ラベル
４　リニアセンサ
５　シャッター窓
１０　収納ケース
１０−１　突起
１１　記録ヘッド
１２　リニアエンコーダ板
１３　マイコン
１４　バッテリ
【図１】
2004022006.tif 000003
【図２】
2004022006.tif 000004
【図３】
2004022006.tif 000005
【図４】
2004022006.tif 000006
【図５】
2004022006.tif 000007
【図６】
2004022006.tif 000008
【図７】
2004022006.tif 000009
【図８】
2004022006.tif 000010
【図９】
2004022006.tif 000011
【図１０】
2004022006.tif 000012
【図１１】
2004022006.tif 000013
【図１２】
2004022006.tif 000014
【図１３】
2004022006.tif 000015